(57)【特許請求の範囲】
【請求項１】
アンテナと、
前記アンテナで受信された電波から音声信号を再現する受信回路と、
前記音声信号を出力するスピーカと、
前記受信回路及び前記スピーカを収容し、収容するスピーカを露出するためのスピーカ開口部が設けられている筐体と、
ヘルメットの下端縁を把持するクリップと、
前記筐体に固定された前記スピーカの前記スピーカ開口部からの音出力方向を前記ヘルメットの内側方向に向けた姿勢で前記筐体を前記クリップに連結する取付部品と、を備え、
前記取付部品が前記クリップに係合され、
前記筐体は、
前記筐体を振動させる振動部と、
前記受信回路により再現される前記音声信号の入感の有無を判定する判定回路と、
前記音声信号の入感がある場合に前記振動部を振動させる駆動回路と、
を備え、
前記振動部は、前記筐体を振動させることにより、前記筐体の振動が、前記取付部品、前記クリップ、及び前記ヘルメットに伝わり、前記ヘルメットが振動することを特徴とする無線受信機。
【請求項２】
発光素子と、
前記発光素子を前記ヘルメットの下端縁に取り付ける取付具と、
前記受信回路により再現される前記音声信号の入感の有無を判定する判定回路と、
前記音声信号の入感がある場合に前記発光素子を発光させる発光回路と、
を備える請求項１に記載の無線受信機。
【発明の詳細な説明】
【技術分野】
【０００１】
本発明は、無線受信機及び無線受信機をヘルメットに装着するための取付部品に関する。
【背景技術】
【０００２】
離れた場所で作業に携わる作業員に連絡を行うために、又は一定の合図を行うために無線通信が使用されている。例えば、列車の接近を検知して鉄道線路の保守管理要員に知らせる列車接近警報用無線受信機が知られている。作業員は、連絡又は合図を受け取るために作業及び移動の間に無線受信機を携帯する。このような作業員が携帯する無線受信機としては、例えば腰ベルトにクリップで装着されるものや、作業員の衣服のポケットに入れられてイヤホンから音声を出力するものが知られている。
【先行技術文献】
【特許文献】
【０００３】
【特許文献１】特開２００２−１３７７３７号公報
【発明の概要】
【発明が解決しようとする課題】
【０００４】
無線受信機を腰ベルトに装着すると、周囲の騒音により無線受信機からの出力音声が聞き取りにくくなった場合に、作業員が無線受信機による連絡又は合図を聞き逃す恐れがある。例えば、列車接近警報用無線受信機の例では、作業員は列車の接近の知らせを聞き逃すと列車の到来に気付くのが遅れる恐れがある。
【０００５】
本発明は、無線受信機の携行者が、無線受信機からの音声出力を気付き易くすることを目的とする。
【課題を解決するための手段】
【０００６】
本発明による無線受信機は、アンテナと、アンテナで受信された電波から音声信号を再現する受信回路と、音声信号を出力するスピーカと、受信回路及びスピーカを収容する筐体と、ヘルメットの下端縁を保持する保持具へ筐体を連結する連結手段を備える。
【０００７】
また、本発明による取付部品は、無線受信機の筐体に固定される固定部位と、ヘルメットの下端縁を保持する保持具に係合する係合部を備え、係合部が保持具に係合することにより無線受信機を保持具に取り付ける。
【発明の効果】
【０００８】
本発明によれば、ヘルメットを装着する無線受信機の携行者は、ヘルメットを把持する把持具へ無線受信機を連結することができる。このため、無線受信機の携行者は、その頭部付近に無線受信機を装着することができるため無線受信機からの音声出力を気付き易くなる。
【図面の簡単な説明】
【０００９】
【図１】無線受信機の装着状態の一例を示す図（その１）である。
【図２】取付部品が装着された受信機本体の斜視図である。
【図３】（Ａ）〜（Ｃ）は取付部品が装着された受信機本体の正面図、側面図及び背面図である。
【図４】受信機本体の回路構成の第１例を示す図である。
【図５】（Ａ）〜（Ｃ）は、クリップの斜視図、側面図及び底面図である。
【図６】（Ａ）〜（Ｃ）は、取付部品の正面図、側面図及び背面図である。
【図７】取付部品が取り外された状態の受信機本体の斜視図である。
【図８】取付部品の装着状態の例を示す図である。
【図９】無線受信機の装着状態の一例を示す図（その２）である。
【図１０】受信機本体の回路構成の第２例を示す図である。
【図１１】受信機本体の回路構成の第３例を示す図である。
【図１２】発光素子の配置箇所の第１例を示す図である。
【図１３】発光素子の配置箇所の第２例を示す図である。
【発明を実施するための形態】
【００１０】
＜１．  第１実施例＞
以下、添付する図面を参照して好ましい実施例について説明する。図１は、無線受信機の装着状態の一例を示す図である。無線受信機１は、受信機本体１０と取付部品５０を備える。参照符号９０は、作業用ヘルメット８０の下端縁８１を把持することが出来るように構成されたクリップである。受信機本体１０に固定された取付部品５０は、クリップ９０に係合することにより受信機本体１０をクリップ９０に連結する。この結果、受信機本体１０は作業用ヘルメット８０の下端縁８１に保持される。なお、他の実施例では、取付部品５０はクリップ９０に締結具などで固定されてもよく、さらに取付部品５０とクリップ９０とが一体形成されてもよい。なお、以下、作業用ヘルメットを単に「ヘルメット」と表記することがある。
【００１１】
＜１．１  受信機本体＞
続いて、図１に示す各構成要素のそれぞれについて説明する。図２は、取付部品５０が装着された受信機本体１０の斜視図であり、図３の（Ａ）〜図３の（Ｃ）は、取付部品５０が装着された受信機本体１０の正面図、側面図及び背面図である。
【００１２】
受信機本体１０は、受信回路や受信した音声信号を出力するためのスピーカを格納するための筐体１１を備える。参照符号１２、１３及び１４は、それぞれ受信機本体１０の前面、背面及び上面を示す。筐体１１の前面１２には、内蔵するスピーカを露出するためのスピーカ開口部１５が設けられている。
【００１３】
図３の（Ｃ）に示すように、取付部品５０は、ねじ１６、１６で受信機本体１０の背面１３にねじ止めされることで受信機本体１０に固定される。筐体１１の背面１３には、取付部品５０をねじ止めするねじ１６、１６に螺合するねじ穴が設けられている。他の実施例の取付部品５０は、ねじ以外の異なる固定手段によって受信機本体１０に固定されてもよい。例えば、取付部品５０及び筐体１１のいずれか一方に可動突起が、他方にその受け具が設けられ、可動突起が受け具に係合することにより取付部品５０が受信機本体１０に固定されてもよい。
【００１４】
図４は、受信機本体１０の回路構成の第１例を示す図である。受信機本体１０は、アンテナ２０と、受信回路２１と、スピーカ２２を備える。アンテナ２０、受信回路２１及びスピーカ２２は、受信機本体１０の筐体１１内に収容されている。アンテナ２０の一部又は全部は、筐体１１から出ていてもよい。受信回路２１は、アンテナ２０で受信された電波から音声信号を再現する。受信回路２１は、無線周波数回路２３、検波部２４、増幅器２５を備える。
【００１５】
無線周波数回路２３は、受信した無線周波数信号を中間周波数信号に変換する周波数変換と信号増幅を行う。検波部２４は、中間周波数信号を復調する。増幅器２５は、復調された音声信号を増幅してスピーカ２２に出力する。スピーカ２２は、受信回路２１により再現された音声信号を音声としてスピーカ開口部１５から出力する。なお、添付する図面において無線周波数回路２３をＲＦ回路２３と表記する。
【００１６】
図４に示す回路構成は、受信機本体１０を実現する回路構成の例示の１つである。受信機本体１０は、無線通信により伝送される音声信号の受信が可能な回路構成であればどのような回路構成を採用する無線受信機であってもよい。受信機本体１０は、デジタル無線受信機であってもよい。図１０及び図１１に示す回路構成についても同様である。
【００１７】
＜１．２  クリップ＞
続いて、図１に示すクリップ９０について説明する。図５の（Ａ）〜図５の（Ｃ）は、クリップ９０の斜視図、側面図及び底面図である。クリップ９０は、第１部材９１、第２部材９２、第１部材９１及び第２部材９２を回動可能に連結する軸部材９３と、クリップ９０が閉じる方向に第１部材９１及び第２部材９２を付勢する付勢手段９４を備える。第１部材９１及び第２部材９２には、先端部９５ａ及び９５ｂと後端部９６ａ及び９６ｂが形成される。先端部９５ａ及び９５ｂは、付勢手段９４の付勢によりヘルメット８０の下端縁８１のシェルを狭持するようになっている。また、後端部９６ａ及び９６ｂをつまんで第１部材９１及び第２部材９２を回動させ先端部９５ａと９５ｂとの間隔を広げることにより、簡単にクリップ９０をヘルメット８０に着脱することができる。
【００１８】
また、クリップ９０の第２部材９２には、後述する取付部品５０のフック部位が挿入され貫通孔９７と、貫通孔９７を囲む側壁９８が設けられる。後述「１．３  取付部品」で説明するように、フック部位が貫通孔９７を貫通すると、フック部位に形成された係止爪が側壁９８に係止することによりフック部位と第２部材９２とが係合する。
【００１９】
＜１．３  取付部品＞
続いて、図１に示す取付部品５０について説明する。図６の（Ａ）〜図６の（Ｃ）は、取付部品５０の正面図、側面図及び背面図である。取付部品５０には、本体部位５１と、フック部位５２ａ及び５２ｂと、前方突出部５３と、背当て部位５４と、突起部５５が形成される。
【００２０】
受信機本体１０に取付部品５０を固定する際には、図７に示す受信機本体１０の上面１４の窪み１６に突起部５５を嵌合させ、前方突出部５３の底面５６を筐体１１の上面１４に当接させ、背当て部位５４を背面１３に当接させる。この状態で、背当て部位５４に設けられたねじ穴５７を貫通するねじを、筐体１１の背面１３に設けられたねじ穴に螺合することにより、取付部品５０を受信機本体１０にねじ止めする。背当て部位５４には、突起部５５と窪み１６との位置を後方から観察可能にし、両者の位置合わせを容易にするための貫通孔５８が設けられている。
【００２１】
突起部５５を窪み１６に嵌合させることにより、受信機本体１０と取付部品５０が上面１４と平行な面内で相対移動することが抑制されるため、受信機本体１０と取付部品５０との取付強度が向上する。また、前方突出部５３の底面５６が上面１４に当接していることにより、フック部位５２ａ及び５２ｂが前方へ傾くような取付部品５０のがたつきが抑制されるため、受信機本体１０と取付部品５０との取付強度が向上する。
【００２２】
一方で、フック部位５２ａ及び５２ｂには、係止爪６０ａ及び６０ｂと先端部６１ａ及び６１ｂとが形成される。フック部位５２ａ及び５２ｂは弾性を有し、クリップ９０の貫通孔９７に挿入されると、貫通孔９７内側面に係止爪６０ａ及び６０ｂが当接することでフック部位５２ａ及び５２ｂがたわみ、係止爪６０ａ及び６０ｂの間隔が狭くなる。係止爪６０ａ及び６０ｂが貫通孔９７を通過すると、フック部位５２ａ及び５２ｂの弾性により係止爪６０ａ及び６０ｂの間隔が広がり、係止爪６０ａ及び６０ｂが側壁９８に係止する。この結果、フック部位５２ａ及び５２ｂと第２部材９２とが係合する。先端部６１ａ及び６１ｂをつまんで係止爪６０ａ及び６０ｂ間の間隔を狭めることにより、フック部位５２ａ及び５２ｂと第２部材９２との係合を解除することができる。
【００２３】
図８は、取付部品５０の装着状態の例を示す。ヘルメット８０を狭持するクリップ９０の第１部材９１及び第２部材９２がヘルメット８０のシェルの内側及び外側にそれぞれ当接する場合に、取付部品５０のフック部位５２ａ及び５２ｂは、取付部品５０に固定された受信機本体１０の前面１２がヘルメット８０の内側方向を向くようにクリップ９０に係合する。スピーカ開口部１５が設けられる前面１２がヘルメット８０の内側方向に向いているため、ヘルメット８０の装着者は、スピーカ２２からの音声出力をより気付き易くなる。
【００２４】
無線受信機１のスピーカ開口部１５が装着者の耳元付近に位置するように、フック部位５２ａ及び５２ｂの長さを定めることにより、装着者は、スピーカ２２からの音声出力をより気付き易くなる。例えば、一般的なユーザの頭部及びヘルメット８０のサイズ、形状を想定して、想定されたユーザに使用された場合にスピーカ開口部１５がユーザの耳元付近に位置するように、フック部位５２ａ及び５２ｂの長さを定めてよい。ある実施例では、フック部位５２ａ及び５２ｂの付け根から先端までの長さＬ（図６の（Ａ）参照）は、２５ｍｍ〜３０ｍｍである。
【００２５】
＜１．４  効果＞
本実施例によれば、無線受信機１の携行者がヘルメットを装着する場合に、ヘルメットに無線受信機１を装着することができる。このため、無線受信機１は携行者の頭部や耳元付近で音声を出力するので、携行者は無線受信機１からの音声出力を気付き易くなる。このため、例えば、本実施例を、列車接近警報用無線受信機に適用した場合に、より確実に作業員に列車の接近を知らせることができ、作業員の列車待避を促して安全を確保することができる。
【００２６】
また、本実施例によれば、携行者の頭部や耳元近くに無線受信機１のスピーカが位置するため、イヤホンを使用しなくても無線受信機１からの出力音声が聞き取りやすくなる。このため、イヤホン使用による不都合、例えばイヤホンのケーブルが障害物に引っかかったり、作業員が作業現場で外音の到来方向を誤ることや外音自体を聞き漏らすといった問題を回避できる。また、携帯中に無線受信機１が携行者の身体に直接触れないため、衛生的である。
【００２７】
さらに、クリップ９０で無線受信機１をヘルメットに装着することにより、無線受信機１の着脱が簡単になる。例えば、ヘルメットを交換する場合に、簡単に交換前のヘルメットから無線受信機１を取り外して、交換後のヘルメットへ取り付けることができる。また、クリップ９０でヘルメットの下端縁を把持するだけで無線受信機１がヘルメットに装着されるので、様々な形状、サイズのヘルメットに装着することができる。さらに、携行者は、ヘルメットの右側及び左側のうち自分の使いやすい装着位置に無線受信機１を装着することができる。このため、例えば携行者は、自分の利き手に応じて無線受信機１を装着位置を選ぶことができる。
【００２８】
また、ヘルメット８０には、その側面に図９に示すような身分証明書８２などを収容するためのカードフォルダ８３が取り付けられることがある。本実施例によれば、カードフォルダ８３の取り付け位置に応じてクリップ９０の装着位置を変更することができるので無線受信機１の装着が容易になる。
【００２９】
＜２．  第２実施例＞
続いて、無線受信機１の他の実施例について説明する。図１０は、受信機本体１０の回路構成の第２例を示す図である。以下、図４に示す第１実施例の回路構成との相違点について説明する。受信機本体１０は、判定回路３０と、駆動回路３１と、振動部３２を備える。判定回路３０は、受信回路２１により再現される音声信号の入感の有無を判定する。例えば、判定回路３０は、検波部２４により検波された信号の強度に応じて音声信号の入感の有無を判定する。
【００３０】
音声信号の入感があると判定回路３０が判定する場合に、駆動回路３１は、振動部３２を駆動し筐体１１内部に設けられた振動部３２を振動させる。振動部３２から発生した振動が筐体１１に伝わることによって、筐体１１自身も振動する。音声信号の入感がないと判定回路３０が判定する場合に、駆動回路３１は振動部３２を駆動しない。このため振動部３２は筐体１１を振動させない。筐体１１の振動は、取付部品５０、クリップ９０及びヘルメット８０に伝わる。無線受信機１の携行者は、頭部に装着したヘルメット８０が振動することにより無線受信機の音声出力があることを気付くことができる。
【００３１】
本実施例によれば、無線受信機１の携行者の頭部に装着したヘルメットを振動させることによって、無線受信機の音声出力があることを携行者に知らせることができる。このため、周囲の騒音で無線受信機の音声出力が聞き取りにくい環境下でも、携行者に無線受信機の音声出力を容易に気付かせることが可能となる。
【００３２】
＜３．  第３実施例＞
続いて、無線受信機１の他の実施例について説明する。図１１は、受信機本体１０の回路構成の第３例を示す図である。以下、図４に示す第１実施例の回路構成との相違点について説明する。受信機本体１０は、判定回路３０と、発光回路３３と、発光素子３４を備える。なお、図１０に示す第２実施例と同様に、受信機本体１０は、駆動回路３１と振動部３２を備えていてもよい。
【００３３】
判定回路３０は、受信回路２１により再現される音声信号の入感の有無を判定する。音声信号の入感があると判定回路３０が判定する場合に、発光回路３３は発光素子３４を点灯させる。音声信号の入感がないと判定回路３０が判定する場合に、発光回路３３は発光素子３４を点灯させない。
【００３４】
無線受信機１の携行者は、自分の顔の近くで発光素子３４が点灯することにより無線受信機の音声出力があることを気付くことができる。例えば、夜間や室内など暗い環境での作業時に、携行者は、無線受信機１の音声出力があることを発光素子３４の点灯によって容易に気付くことができる。
【００３５】
図１２は、発光素子３４の配置箇所の第１例を示す図である。ヘルメット８０のつばの内壁で反射した発光素子３４の光を携行者に視認しやすいように、発光素子３４は、筐体１１の上面１４に配置されてよい。また、携行者が無線受信機１の取り付け位置を自由に変えても発光素子３４の光が視認されやすいように、発光素子３４を上面１４の複数の位置に配置してよい。また、携行者が無線受信機１の取り付け位置を自由に変えても発光素子３４の光が視認されやすいように、筐体１１の複数の面に発光素子３４を設けてもよい。
【００３６】
図１３は、発光素子３４の配置箇所の第２例を示す図である。無線受信機１は、発光素子３４をヘルメット８０の下端縁８１に取り付けるクリップ３５と、発光素子３４を発光回路３３の出力端子に接続する配線ケーブル３６を備える。無線受信機１の携行者は、発光素子３４をヘルメット８０の好きな位置の下端縁８１にクリップ３５で取り付けることにより、発光素子３４の光を視認しやすくすることができる。
【００３７】
本実施例によれば、無線受信機１の携行者の顔の近くにある発光素子３４を点灯させることによって、無線受信機の音声出力があることを携行者に知らせることができる。このため、周囲の騒音で無線受信機の音声出力が聞き取りにくく、且つ周囲の振動でヘルメットの振動を感知しにくい環境下でも、携行者に無線受信機の音声出力を容易に気付かせることが可能となる。
【符号の説明】
【００３８】
１    無線受信機
１０    受信機本体
１５    スピーカ開口部
５０    取付部品
８０    作業用ヘルメット
９０    クリップ
【図１】
0005615302.tif 000002
【図２】
0005615302.tif 000003
【図３】
0005615302.tif 000004
【図４】
0005615302.tif 000005
【図５】
0005615302.tif 000006
【図６】
0005615302.tif 000007
【図７】
0005615302.tif 000008
【図８】
0005615302.tif 000009
【図９】
0005615302.tif 000010
【図１０】
0005615302.tif 000011
【図１１】
0005615302.tif 000012
【図１２】
0005615302.tif 000013
【図１３】
0005615302.tif 000014